(57)【要約】【課題】ビデオ・レコーディング・システムに於ける時間ベース・ナビゲーション機能の時間値を管理する方法を提供すること。【解決手段】時間ベース・ナビゲーション機能について、再設定時間値を指定するユーザ入力を受け付ける。再設定時間値を、時間ベース・ナビゲーション機能における今後の使用のために記憶する。【選択図】図１
2011147137.tif 000002
【特許請求の範囲】
【請求項１】
ビデオ・レコーディング・システムの時間ベース・ナビゲーション機能の時間値を管理するための方法であって、
前記ビデオ・レコーディング・システムのユーザに、該ユーザがインスタント・リプレイ機能のための第１の値とクイック・スキップ機能のための第２の値とを選択することができる複数のプリセットされた時間値を提供するステップであって、前記第１および第２の値は異なる、ステップと、
対応する機能のための前記第１の値および第２の値を指定するユーザ入力を受信するステップと、
再設定された時間値を、それぞれ対応する前記クイック・スキップ機能および前記インスタント・リプレイ機能における将来の使用のために記憶するステップと
を含む方法。
【請求項２】
前記クイック・スキップ機能のアクティブ化によりスキップされるビデオ番組は、該ビデオ番組の再生を再開する前は表示されない、請求項１に記載の方法。
【請求項３】
前記インスタント・リプレイ機能のアクティブ化によりスキップされるビデオ番組は、該ビデオ番組の再生を再開する前は表示されない、請求項１に記載の方法。
【発明の詳細な説明】
【技術分野】
【０００１】
一般に、本発明は、ビデオ・レコーディング・システムに関し、詳しくは、ビデオ・レコーディング・システムのユーザが、その時間ベース・ナビゲーション機能に対応する時間値を設定し直すことが出来るようにする方法と装置に関する。
【背景技術】
【０００２】
パーソナル・ビデオ・レコーディング（ＰＶＲ）システムおよびディジタル・ビデオ・レコーディング（ＤＶＲ）システムによって、ユーザは、番組（ｐｒｏｇｒａｍｍｉｎｇ）をハード・ディスク・ドライブ（ＨＤＤ）にレコーディングできる。ユーザは、「戻し」ボタンを押して戻しモードを起動することによって、レコーディングされた番組を巻き戻すことができ、或いは、「インスタント・リプレイ（ＩＮＳＴＡＮＴ ＲＥＰＬＡＹ）」ボタンを押すことによって、ビデオを瞬時に巻き戻してＸ秒前の箇所から再生し直すことが出来る。同様に、ユーザは、「早送り」ボタンを押して早送りモードを起動することによって、レコーディングされた番組を早送りでき、或いは、「クイック・スキップ（ＱＵＩＣＫ ＳＫＩＰ）」ボタンを押すことによって、ビデオを瞬時にスキップしてＸ秒後の箇所から再生し直すことが出来る。
【０００３】
しかし、ユーザの中には、「インスタント・リプレイ」ボタンおよび「クイック・スキップ」ボタンについて前もって設定された（プリセットされた）時間値を不満に思うユーザもいるかもしれない。例えば、あるユーザの場合、プリセットされた時間値が短すぎ、従って、所望のビデオ・セグメントの全体を見るのに、当該ボタンを複数回押さなければいけない。一方、別のユーザの場合、そのプリセットされた時間値が長すぎ、従って、見たい箇所を時間的に「オーバシュート（ｏｖｅｒｓｈｏｏｔｉｎｇ）」して（行き過ぎて）見逃してしまう結果になる。
【発明の概要】
【発明が解決しようとする課題】
【０００４】
残念ながら、従来のＰＶＲシステムでは、ユーザが、例えば、「インスタント・リプレイ」ボタンや「クイック・スキップ」ボタンのような時間ベース・ナビゲーション機能に対応する時間値を設定し直すことは出来ない。即ち、これらのボタンについての時間値は工場で設定されており、且つ、ユーザが新たな所望の時間値に指定できるようにする手段が設けられていない。
【０００５】
従って、ビデオ・レコーディング・システムのユーザがその時間ベース・ナビゲーション機能に対応する時間値を設定し直すことが出来るようにする方法と装置が有れば、望ましく、且つ、非常に有益である。そのような方法と装置が有れば、ビデオ・レコーディング・システムを使用する際に、ユーザの自由度が増す。
【課題を解決するための手段】
【０００６】
上述の問題とその他の関連する従来技術の問題とは、本発明によって解決される。即ち、本発明は、ビデオ・レコーディング・システムのユーザがその時間ベース・ナビゲーション機能に対応する時間値を設定し直すこと（再設定すること）が出来るようにする方法と装置を提供する。
【０００７】
本発明の一実施形態に従えば、ビデオ・レコーディング・システムに於ける時間ベース・ナビゲーション機能の時間値を管理する方法が提供される。時間ベース・ナビゲーション機能について、再設定時間値を指定するユーザ入力を受け付ける。時間ベース・ナビゲーション機能について、再設定時間値を、今後の使用のために、記憶する。
【０００８】
本発明の別の一実施形態に従えば、ビデオ・レコーディング・システムに於いて時間ベース・ナビゲーション機能の時間値を管理する装置が提供される。ナビゲーション機能時間値マネージャが、時間ベース・ナビゲーション機能について、再設定時間値を指定するユーザ入力を受け付ける。メモリ装置が、時間ベース・ナビゲーション機能について、再設定時間値を、今後の使用のために記憶する。
【０００９】
本発明の上述した形態、特徴、および、利点、並びに、その他の形態、特徴、および、利点は、添付図面を参照して為される以下の推奨実施例の詳細な説明から、明らかになる。
【図面の簡単な説明】
【００１０】
【図１】本発明の一実施例に従うパーソナル・ビデオ・レコーダ１００を例示するブロック図である。
【図２】本発明の一実施例に従って、ビデオ・レコーディング・システムに於ける時間ベース・ナビゲーション機能の時間値を管理する方法を例示する流れ図である。
【図３】本発明の一実施例に従うビデオ・レコーディング・システムのユーザ・インタフェース用のナビゲーション機能時間値修正用ダイアログ・ボックス３００の画面を例示する図である。
【発明を実施するための形態】
【００１１】
本発明は、ビデオ・レコーディング・システム（例えば、ＰＶＲシステム、ＤＶＲシステム等）のユーザが、その時間ベース・ナビゲーション機能に対応する時間値を設定し直すこと（再設定すること）が出来るようにする、方法と装置に向けられたものである。従って、例えば、本発明によれば、ユーザ・インタフェースを介して、リモコン上の「インスタント・リプレイ」ボタンと「クイック・スキップ」ボタンを設定し直して、それらボタンの各々に対応する時間値を長く、或いは、短く出来る。尚、ここでは、本発明を「インスタント・リプレイ」機能と「クイック・スキップ」機能とについて説明するが、本発明は、ビデオ・レコーディング・システムの任意の時間ベース・ナビゲーション機能に適用して、その効果を得ることが出来る。
【００１２】
また、本発明は、ハードウェア、ソフトウェア、ファームウェア、特定用途プロセッサ、或いは、それらを任意に組み合わせた様々な形態で実施できるが、ハードウェアとソフトウェアの組み合わせとして実施されることが望ましい。更に、そのソフトウェアは、プログラム記憶装置上に実装されたアプリケーション・プログラムとして実施されることが望ましい。このアプリケーション・プログラムは、適切な任意のアーキテクチャから成るマシンにアップロードされて、そのマシンによって実行されるようにしてもよい。また、例えば、増設データ記憶装置や印刷装置のような様々なその他の周辺装置をコンピュータ・プラットホームに接続してもよい。
【００１３】
更に、添付図面に示されている各システム構成部分および各処理ステップの一部は、ソフトウェアで実施することが望ましいため、システム構成部分（或いは、処理ステップ）相互間の実際の各接続は、本発明がプログラムされる形態によって異なる場合がある。当業者であれば、ここに開示された事項に基づいて、本発明のこれらの実施形態と構成、および、それに類似した実施形態と構成を容易に考案できるであろう。
【００１４】
図１は、本発明の一実施例に従うパーソナル・ビデオ・レコーダ１００を例示するブロック図である。パーソナル・ビデオ・レコーダ（ＰＶＲ）１００には、ディジタル信号プロセッサ（ＤＳＰ）１０２、キー／ディスプレイ・ボード（ＫＤＢ）１２０、チューナ１４０、Ａ／Ｖ入力セレクタ１３８、ＵＳＢ入力１４６、記憶装置１４８、番組情報モジュール１５０、および、ナビゲーション機能時間値マネージャ１９９が含まれている。更に、ＰＶＲ１００には、第１と第２の赤外線（ＩＲ）リンク１３０および１３２、ビデオ・オーバレイ・エンコーダ１５２、ビデオ・スイッチ（ＶＩＤ ＳＷ）１６０、ヘッドホン・ジャック（ＨＰ）１３４、標準Ａ／Ｖ成分コネクタ・ブロック１７０、ＹＰｂＰｒ成分コネクタ・ブロック１８０、および、ソニー／フィリップス・ディジタル・インタフェース（ＳＰＤＩＦ）コネクタ・ブロック１９０が含まれている。
【００１５】
各コネクタ・ブロック１７０、１８０および１９０は、様々な出力フォーマットのオーディオ／ビデオ信号を供給できる。例えば、標準Ａ／Ｖ成分コネクタ・ブロック１７０には、クロミナンス・ビデオ信号とルミナンス・ビデオ信号とに分離されたビデオをビデオ・ディスプレイに出力するＳビデオ出力コネクタ１７２と、標準合成ビデオ信号を供給する合成ビデオ出力コネクタ（Ｖ）１７４とが備えられている。更に、標準Ａ／Ｖ成分コネクタ・ブロック１７０には、左オーディオ出力コネクタ（Ｌ）１７６と右オーディオ出力コネクタ（Ｒ）１７８とが備えられている。
【００１６】
一般に、ＹＰｂＰｒ成分コネクタ・ブロック１８０は、高精細度テレビジョン（ＨＤＴＶ）に使用される。ＹＰｂＰｒ成分コネクタ・ブロック１８０には、アナログ・ビデオ・ルミナンス（Ｙ）成分を供給するビデオ・ルミナンス出力コネクタ１８２と、アナログ青色差（Ｂ−Ｙ）を供給するＰｂ出力コネクタ１８４と、アナログ赤色差（Ｒ−Ｙ）を供給するＰｒ出力コネクタ１８６とが備えられている。ＳＰＤＩＦコネクタ・ブロック１９０には、同軸ケーブルを介してディジタル・オーディオ信号を出力する同軸出力（ＣＯＡＸ）１９２と、光ファイバ・ケーブルを介してディジタル・オーディオ信号を出力する光出力（ＯＰＴ）１９４とが備えられている。
【００１７】
キー／ディスプレイ・ボード（ＫＤＢ）１２０は、ＰＶＲ１００に対するユーザ・インタフェースであり、これには、キーパッド（ＫＥＹＰＡＤ）１２２、ディスプレイ（ＤＩＳＰＬＡＹ）１２４、ＩＲリモートコントロール・インタフェース（ＩＲ―ＲＣＵ）１２６、および、リアルタイム・クロック（ＲＴＣ）１２８が組み込まれている。ユーザは、キーパッド１２２またはＩＲリモートコントロール・インタフェース１２６を使用することによって、ＰＶＲ１００が実行すべき各機能を選択できる。例えば、ユーザは、ＰＶＲ１００上のチャンネルの変更を選択でき、或いは、トリック・モード再生の実行を選択できる。リアルタイム・クロック１２８は時間を計ることができ、ディスプレイ１２４はその時間を示すことが出来る。また、ディスプレイ１２４は、その他の情報も示すことができ、例えば、ＰＶＲ１００が現在実行しているトリック・モード、ＰＶＲ１００が現在レコーディングしている選択チャンネル、或いは、ビデオ・ディスプレイ上に現在表示されているプレゼンテーションを示す識別子も示すことが出来る。
【００１８】
第１と第２のＩＲリンク１３０および１３２は、衛星アプリケーションと非衛星アプリケーションとの間で一組の通信リンクを形成しており、オーディオ・ストリーム、ビデオ・ストリームおよびデータ・ストリームの間でインタフェースを簡素化する一助を果たしている。第１のＩＲリンク１３０は、ＤＳＰ１０２とＩＲ通信リンクを有するその他の装置との間の通信インタフェースとして働く。尚、第１のＩＲリンク１３０は、標準的な番組ガイド情報を用いて、無線テレビジョン放送、ケーブルテレビジョン放送、或いは、ラジオ放送専用に設計されたその他の装置を制御するのにも使用できる。また、第１のＩＲリンク１３０は、装置相互間のコンシューマ・インターアクションを簡素化する機能も実行できる。例えば、第１のＩＲリンク１３０は、ワンタッチで番組をレコーディングすること、および、ユーザにとって便利なその他の機能を実行できる。第２のＩＲリンク１３２は、番組情報モジュール１５０とＩＲ通信リンクを有するその他の装置との間のインタフェースとして働く。特に、第２のＩＲリンク１３２は、ＤＳＰ１０２に直接接続する必要なしに、各種装置、例えば、ケーブル受信装置やＶＣＲ等の装置との通信に使用できる。
【００１９】
ＤＳＰ１０２には、アナログ／ディジタル（Ａ／Ｄ）コンバータ１０４、ＭＰＥＧエンコーダ／デコーダ１０６、書替え可能ゲート・アレイ（ｆｉｅｌｄ ｐｒｏｇｒａｍｍａｂｌｅ ｇａｔｅ ａｒｒａｙ）（ＦＰＧＡ）１０８、レコーディング／再生インタフェース１１０、ビデオ・ディジタル・エンコーダ１１２、オーディオ・ディジタル／アナログ・コンバータ（オーディオＤ／Ａ）１１４、および、ＳＰＤＩＦ出力１１６が備えられている。更に、ＤＳＰ１０２には、異なるＤＳＰ構成部分が互いに通信を行い協同してデータを処理できるようにする、１つ以上のデータ・バスが備えられている。尚、割込み要求（ＩＲＱ）と直接メモリ・アドレス（ＤＭＡ）とによって、バス通信とデータ処理とを容易にできる。
【００２０】
オーディオ／ビデオ（Ａ／Ｖ）入力セレクタ１３８には、複数のＡ／Ｖ入力が含まれている。例えば、Ａ／Ｖ入力セレクタ１３８には、チューナ１４０からのＡ／Ｖ信号を受信するＡ／Ｖ入力が含まれている。また、Ａ／Ｖ入力セレクタ１３８は、その他の様々な入力装置からの信号も受信できる。例えば、ビデオ・カメラが、Ａ／Ｖ信号を前部Ａ／Ｖ入力１４２を介してＡ／Ｖ入力セレクタ１３８に送信し、また、ＶＣＲが、Ａ／Ｖ信号を後部Ａ／Ｖ入力１４４を介してＡ／Ｖ入力セレクタ１３８に送信できる。更に、その他のＡ／Ｖ装置もＡ／Ｖ入力セレクタ１３８に接続可能である。
【００２１】
Ａ／Ｖ入力セレクタ１３８は、受信したＡ／Ｖ信号をＤＳＰ１０２に転送する。ＤＳＰ１０２のＡ／Ｄコンバータ１０４によって、アナログ・フォーマットで受信されたＡ／Ｄ信号が、ディジタル・フォーマットに変換される。既にディジタル・フォーマットを有するＡ／Ｖ信号、例えば、ユニバーサル・シリアル・バス（ＵＳＢ）インタフェース１４６を介して受信されたディジタル信号は、このアナログ／ディジタル変換をバイパスできる。
【００２２】
ＦＰＧＡ１０８は、Ａ／Ｖ入力セレクタ１３８或いはＵＳＢインタフェース１４６から受信したデータについて、その受信データの形式に従って、処理命令を送出する。例えば、Ａ／Ｖデータが非圧縮形態で受信された場合、ＦＰＧＡ１０８は、そのＡ／Ｖデータを、レコーディング／再生インタフェース１１０に送る前に、ＭＰＥＧ圧縮用のＭＰＥＧエンコーダ／デコーダ１０６に転送する。一方、Ａ／ＶデータがＭＰＥＧ圧縮形態で受信された場合、ＦＰＧＡ１０８は、そのＡ／Ｖデータを直接レコーディング／再生インタフェース１１０に送る。どちらの場合も、ＦＰＧＡ１０８は、書き込み／読み出し命令をレコーディング／再生インタフェース１１０に送り、レコーディング／再生インタフェース１１０は、そのＡ／Ｖデータを記憶装置１４８に記憶する。
【００２３】
ＭＰＥＧエンコーダ／デコーダ１０６は、ディジタルＡ／Ｖ信号について、ＭＰＥＧの圧縮と復元を行う。例えば、ＭＰＥＧエンコーダ／デコーダ１０６は、Ａ／Ｄコンバータ１０４或いはＵＳＢインタフェース１４６からディジタルＡ／Ｖ信号を受信し、それをＭＰＥＧフォーマットで圧縮して、レコーディング／再生インタフェース１１０に転送する。次に、レコーディング／再生インタフェース１１０は、圧縮されたディジタルＡ／Ｖ信号を記憶装置１４８に記憶する。
【００２４】
記憶装置１４８には、１つ以上のデータ記憶装置が含まれている。例えば、そのようなデータ記憶装置としては、ハード・ディスク・ドライブ（ＨＤＤ）のような磁気記憶媒体と、ディジタル・ビデオ・ディスク（ＤＶＤ）のような光学記憶媒体と、ランダム・アクセス・メモリ（ＲＡＭ）のような電子記憶媒体と、磁気／光学記憶媒体と、記憶装置の任意の組み合わせとがある。
【００２５】
再生の際、レコーディング／再生インタフェース１１０は、記憶装置１４８からＡ／Ｖデータを読み出す。次に、そのＡ／Ｖデータは、ＭＰＥＧエンコーダ／デコーダ１０６に転送されて、復元される。その復元後、Ａ／Ｖデータは、ビデオ信号とオーディオ信号とに分離される。オーディオ信号は、ＳＰＤＩＦ出力１１６に転送されて、同軸出力１９２または光出力１９４を介して、ディジタル出力されるように出来る。また、オーディオ信号は、オーディオＤ／Ａコンバータ１１４に転送されてＤ／Ａ変換され、その後、ヘッドホン・ジャック１３４および／または左右のオーディオ出力１７６と１７８を介して出力されるように出来る。
【００２６】
一方、ビデオ信号は、ビデオ・ディジタル・エンコーダ１１２によって処理される。ビデオ・ディジタル・エンコーダ１１２は、ビデオ信号をＤ／Ａ変換し、様々なフォーマットに符号化できる。例えば、ビデオ信号をＲＧＢフォーマットに符号化でき、或いは、ルミナンスとクロミナンス（Ｙ＋Ｃ）の信号に分離でき、或いは、米国テレビジョン方式審議委員会（ＮＴＳＣ）のフォーマットを有する合成ビデオ信号に符号化できる。合成ビデオ信号およびＹ＋Ｃビデオ信号は、ビデオ・スイッチ（ＶＩＤ ＳＷ）１６０に転送され、ＲＧＢビデオ信号は、ビデオ・オーバレイ・エンコーダ１５２に転送される。
【００２７】
ビデオ・オーバレイ・エンコーダ１５２には、オーバレイ・モジュール１５４、ＮＴＳＣビデオ・エンコーダ１５６、および、ＹＰｂＰｒマトリクス・エンコーダ１５８が含まれている。オーバレイ・モジュール１５４は、番組情報モジュール１５０から番組情報を受信し、ビデオ信号上にその番組情報をグラフィック形態で重畳（ｏｖｅｒｌａｙ）する。番組情報モジュール１５０は、番組情報をオンライン番組ガイドから取り出すか、或いは、Ａ／Ｖ入力セレクタ１３８によって受信され、ＤＳＰ１０２によって番組情報モジュール１５０に転送された入来Ａ／Ｖ信号に含まれている番組ガイドから取り出す。この番組情報には、各チャンネルについての視聴可能番組、および、番組予定が含まれている。更に、番組情報には、個々の番組について、番組識別子、チャンネル情報、レコーディング時間、番組継続時間、場面データ、番組クレジット（ｐｒｏｇｒａｍ ｃｒｅｄｉｔ）等が含まれている。その他の情報とグラフィックもビデオ信号に重畳できる。例えば、時刻、テキスト・ブロック、ユーザ情報、メニュー、アイコン、写真等をビデオ信号上に重畳できる。一般的に、情報は、ユーザによって要求されたときに、或いは、特定の前もって設定されたイベントに応じて、ビデオ信号上に重畳される。尚、チャンネル識別子のような特定の情報は、ビデオ信号上に継続的に重畳できる。
【００２８】
ＮＴＳＣビデオ・エンコーダ１５６は、ビデオ信号を、ＮＴＳＣフォーマット化合成ビデオ信号として、また、ルミナンス信号とクロミナンス信号とに個別に分離されたビデオとして、出力できる。次に、このビデオ信号は、ビデオ・スイッチ１６０に転送される。ビデオ・スイッチ１６０によって、ＮＴＳＣ符号化ビデオ信号か、或いは、ビデオ・ディジタル・エンコーダ１１２によって発生されたビデオ信号かの何れかが、選択されて、表示される。何れのソースからの合成ビデオ信号も、合成ビデオ出力コネクタ１７４を介して出力され、また、何れのソースからのクロミナンス・ビデオ信号とルミナンス・ビデオ信号も、Ｓビデオ出力コネクタ１７２を介して出力される。
【００２９】
ＹＰｂＰｒマトリクス・エンコーダ１５８は、ＹＰｂＰｒフォーマット化アナログ・ビデオ信号を生成する。前述の如く、ＹＰｂＰｒビデオ信号には、ビデオ・ルミナンス（Ｙ）成分、アナログ青色差（Ｂ−Ｙ）、および、アナログ赤色差（Ｒ−Ｙ）が含まれている。Ｙ成分はＹ出力コネクタ１８２に出力され、アナログ青色差（Ｂ−Ｙ）はＰｂ出力コネクタ１８４に出力され、アナログ赤色差（Ｒ−Ｙ）はＰｒ出力コネクタ１８６に出力される。
【００３０】
ナビゲーション機能時間値マネージャ１９９は、ビデオ・レコーディング・システムの時間ベース・ナビゲーション機能についての時間値の設定と管理を行うことが出来る。尚、本発明の特定の実施形態では、ナビゲーション機能時間値マネージャ１９９が行う各機能の一部または全部は、ＰＶＲ１００のその他の要素に組み込まれてもよい。例えば、ＤＳＰ１０２と記憶装置１４８に記憶されたコンピュータ・プログラミング・コードとによって、ナビゲーション機能時間値マネージャ１９９が行う各機能を実施するようにしてもよい。また、当業者によって容易に考えられるようなその他の要素によって、それらの各機能を実施するようにしてもよい。これらの実施形態と構成のみならず、当業者であれば、本発明の開示事項に基づいて、本発明の精神から逸脱することなく、且つ、本発明の範囲内で、本発明の様々なその他の実施形態と構成を考案できる筈である。
【００３１】
図２には、本発明の一実施例に従って、ビデオ・レコーディング・システムに於ける時間ベース・ナビゲーション機能の時間値を管理する方法を例示する、流れ図が示されている。
【００３２】
ナビゲーション機能時間値修正用ダイアログ・ボックスが、ビデオ・レコーディング・システムのユーザ・インタフェース内に表示される（ステップ２０５）。このナビゲーション機能時間値修正用ダイアログ・ボックスによって、ビデオ・レコーディング・システムのユーザは、時間に基づく（即ち、基準時間を使用する）ナビゲーション機能、例えば「インスタント・リプレイ」機能および「クイック・スキップ」機能（これらに限定されるものではない）について、新しい時間値を指定できる。この新しい時間値は、次にユーザがこれらのナビゲーション機能の任意のものを呼び出したときに適用される。
【００３３】
ナビゲーション機能時間値修正用ダイアログ・ボックスには、ユーザ選択用のプリセットされた（前もって設定された）時間値が含まれるように、および／または、プリセットされていない時間値をユーザが指定できるようにするメカニズムが含まれるように構成してもよい。これらの時間値（例えば、ナビゲーション機能時間値修正用ダイアログ・ボックスにユーザ選択用に既に提供されているプリセット時間値、或いは、上記メカニズムによってユーザがナビゲーション機能時間値修正用ダイアログ・ボックスに導入できる非プリセット時間値）は、分散的な時間値、および／または、時間値範囲であってよい（但し、これらに限定されるものではない）。尚、プリセット時間値は、ナビゲーション機能時間値修正用ダイアログ・ボックスが促す、或いは、提案する時間値であり、非プリセット時間値は、ナビゲーション機能時間値修正用ダイアログ・ボックスによる催促或いは提案なしに、ユーザが設定する時間値である。
【００３４】
図３には、本発明の一実施例に従うビデオ・レコーディング・システムのユーザ・インタフェース用ナビゲーション機能時間値修正用ダイアログ・ボックス３００の画面が示されている。
【００３５】
ビデオ・レコーディング・システムの時間ベース・ナビゲーション機能について、時間値を設定する（設定し直す）第１のユーザ入力が受け付けられる（ステップ２１０）。この第１のユーザ入力は、例えば、ビデオ・レコーディング・システム用のリモコン装置上の数字キーを介して、或いは、ナビゲーション機能時間値修正用ダイアログ・ボックス３００上に配置された「＋」と「−」の各ボタンを介して、或いは、当業者によって容易に考えられるその他の方法によって、与えられる。これらの方法のみならず、当業者であれば、本発明のここに開示した事項に基づいて、本発明の精神から逸脱することなく、本発明の範囲内で、ビデオ・レコーディング・システムの時間ベース・ナビゲーション機能の時間値を設定し直すその他の方法を考案できる筈である。
【００３６】
新しい時間値により、例えば、ユーザがリモコン上の「インスタント・リプレイ」ボタンを押した時に、ステップ２１０で受け付けられた時間値に等しい時間量だけ、レコーディングされたビデオが巻き戻され、また、ユーザがリモコン上の「クイック・スキップ」ボタンを押した時に、ステップ２１０で受け付けられた時間値に等しい時間量だけ、レコーディングされたビデオが前方送りされる。
【００３７】
ステップ２１０に於いて設定し直された時間値（再設定時間値）をメモリに保存するための第２のユーザ入力が受け付けられる（ステップ２１５）。図３に示されるナビゲーション機能時間値修正用ダイアログ・ボックス３００では、「新しい値を保存」のボタンが起動されて、新しい時間値が保存される。
【００３８】
時間値が設定し直された時間ベース・ナビゲーション機能を呼び出すための第３のユーザ入力が受け付けられる（ステップ２２０）。この時間ベース・ナビゲーション機能は、設定し直された時間値（再設定時間値）で実行される（ステップ２２５）。
【００３９】
ユーザが、時間ベース・ナビゲーション機能のうちの何れかについて、デフォルトの工場で設定された時間値に戻したい場合、時間ベース・ナビゲーション機能の少なくとも１つについて、そのデフォルト工場設定時間値にリセットするための第４のユーザ入力が受け付けられる（ステップ２３０）。図３に示されるナビゲーション機能時間値修正用ダイアログ・ボックス３００では、当該機能（「インスタント・リプレイ」および／または「クイック・スキップ」）が強調表示され、「デフォルト値にリセット」のボタンが起動されて、デフォルト工場設定時間値が再記憶される。
【００４０】
尚、本発明を、ここではメニュー、ダイアログ・ボックス、その他について、説明したが、本発明は、これらの表示構成（「ユーザ・インタフェース要素」ともいう）に限定されるものではなく、従って、当業者が容易に考案できるようなその他の構成等を使用して、本発明の精神から逸脱することなく、本発明の範囲内で、本発明を実施できる。その他の構成としては、例えば、その他の表示構成（例えば、バナー、メニュー、ダイアログ、ボックス等）、ハードウェア構成（例えば、スイッチ、ボタン、スライダー等）、その他がある。
【００４１】
尚、ここでは各実施例を、添付図面を参照して説明したが、本発明は、これらの具体的な各実施例に限定されるものではなく、当業者であれば、本発明の精神から逸脱することなく、本発明の範囲内で、その他の様々な変更と修正を上記各実施例に加えることが出来る。そのような変更と修正は、全て、本願の特許請求の範囲に規定される本発明の範囲に含まれるものである。
【図１】
2011147137.tif 000003
【図２】
2011147137.tif 000004
【図３】
2011147137.tif 000005